【手続補正書】
【提出日】平成28年6月27日(2016.6.27)
【手続補正１】
【補正対象書類名】特許請求の範囲
【補正対象項目名】全文
【補正方法】変更
【補正の内容】
【特許請求の範囲】
【請求項１】
睡眠時無呼吸処置デバイスであって、前記睡眠時無呼吸処置デバイスは、
対象の身体内に埋め込まれるように構成された可撓なキャリアと、
前記可撓なキャリア上に配置された少なくとも１つの電極であって、前記少なくとも１つの電極は、前記対象の舌下神経線維を変調するために、前記対象の舌下神経に近接するオトガイ舌筋組織上の場所のために構成されている、少なくとも１つの電極と、
前記可撓なキャリア上に配置された可撓なアンテナであって、前記可撓なアンテナは、前記対象の舌に近接する皮膚の真下の場所のためにサイズを合わせられ、前記可撓なアンテナは、前記可撓なアンテナによって受信される少なくとも一部のエネルギーが前記少なくとも１つの電極に伝送されることを可能にする態様で前記少なくとも１つの電極に電気的に接続され、前記可撓なアンテナは、
前記可撓なキャリアの第１の側に配列された少なくとも第１の伝導性トレースであって、前記少なくとも第１の伝導性トレースは、その部分間に少なくとも第１の細長い空間を画定している、少なくとも第１の伝導性トレースと、
前記可撓なキャリアの第２の側に配列された少なくとも第２の伝導性トレースであって、前記少なくとも第２の伝導性トレースは、その部分間に少なくとも第２の細長い空間を画定している、少なくとも第２の伝導性トレースと
を含む、可撓なアンテナと
を備え、前記少なくとも第１の伝導性トレースは、前記少なくとも第２の伝導性トレースから少なくとも部分的にオフセットされ、それにより、前記第１の伝導性トレースの部分は、前記少なくとも第２の細長い空間の上にあり、前記第２の伝導性トレースの部分は、前記少なくとも第１の細長い空間の下にある、睡眠時無呼吸処置デバイス。
【請求項２】
前記アンテナおよびキャリアは、可撓なポリマーコーティング内に封入されている、請求項１に記載の睡眠時無呼吸処置デバイス。
【請求項３】
前記第１の伝導性トレースおよび前記第２の伝導性トレースはそれぞれ、コイルを含み、前記第１の細長い空間および前記第２の細長い空間は、前記第１の伝導性トレースおよび第２の伝導性トレースの前記コイルの巻線間の区域を含む、請求項１に記載の睡眠時無呼吸処置デバイス。
【請求項４】
前記第１の伝導性トレースおよび第２の伝導性トレースの前記コイルは、長方形巻線を含む、請求項３に記載の睡眠時無呼吸処置デバイス。
【請求項５】
前記第１の伝導性トレースおよび第２の伝導性トレースの前記コイルは、オーバル形状の巻線を含む、請求項３に記載の睡眠時無呼吸処置デバイス。
【請求項６】
前記第１の伝導性トレースおよび第２の伝導性トレースの前記コイルは、円形巻線を含む、請求項３に記載の睡眠時無呼吸処置デバイス。
【請求項７】
前記第１の伝導性トレースおよび前記第２の伝導性トレースは、前記可撓なキャリアを通って延在するトレースを介して、電気的に接続されている、請求項１に記載の睡眠時無呼吸処置デバイス。
【請求項８】
前記第１の伝導性トレースは、第１の巻線を含み、前記第１の巻線の少なくとも一部は、第１の電気トレースステップによって、相互に接続され、前記第２の伝導性トレースは、第２の巻線を含み、前記第２の巻線の少なくとも一部は、第２の電気トレースステップによって相互に接続され、前記第１の電気トレースステップのうちの１つまたは複数は、非ゼロ角度で前記第２の電気トレースステップのうちの１つまたは複数と交差する、請求項１に記載の睡眠時無呼吸処置デバイス。
【請求項９】
前記可撓なアンテナは、フェライトコアを含む、請求項１に記載の睡眠時無呼吸処置デバイス。
【請求項１０】
前記可撓なキャリアは、誘電体材料を含む、請求項１に記載の睡眠時無呼吸処置デバイス。
【請求項１１】
前記第１の伝導性トレースおよび前記第２の伝導性トレースはそれぞれ、コイルを含み、前記第１の伝導性トレースおよび第２の伝導性トレースの前記コイルは、約０．５ｍｍと３０ｍｍとの間の直径を有する、請求項１に記載の睡眠時無呼吸処置デバイス。
【請求項１２】
前記可撓なアンテナは、前記対象の身体内の組織の輪郭に適合するように構成されている、請求項１に記載の睡眠時無呼吸処置デバイス。
【請求項１３】
前記第１の伝導性トレースの実質的に全ては、前記少なくとも第２の細長い空間の上にあり、前記第２の伝導性トレースの実質的に全ては、前記少なくとも第１の細長い空間の下にある、請求項１に記載の睡眠時無呼吸処置デバイス。
【請求項１４】
前記可撓なアンテナはさらに、絶縁層によって前記第２の伝導性トレースから離間された少なくとも第３の伝導性トレースを含む、請求項１に記載の睡眠時無呼吸処置デバイス。
【請求項１５】
前記可撓なキャリア、前記少なくとも１つの電極、および前記可撓なアンテナの少なくとも一部は、パリレンの層およびシリコーンの層を含む封入構造で被覆されている、請求項１に記載の睡眠時無呼吸処置デバイス。
【手続補正２】
【補正対象書類名】明細書
【補正対象項目名】００１０
【補正方法】変更
【補正の内容】
【００１０】
いくつかの実施形態は、対象の身体内に埋め込まれるように構成された可撓なキャリアを有する睡眠時無呼吸処置デバイスを含んでもよい。本デバイスはまた、可撓なキャリア上に配置された少なくとも１つの電極であって、対象の神経線維を変調するように構成された少なくとも１つの電極を含んでもよい。可撓なアンテナは、可撓なキャリア上に配置されてもよく、可撓なアンテナは、可撓なアンテナによって受信される少なくとも一部のエネルギーが少なくとも１つの電極に伝送されることを可能にする態様で、少なくとも１つの電極に電気的に接続される。可撓なアンテナは、可撓なキャリアの第１の側に配列された少なくとも第１の伝導性トレースであって、その部分間に少なくとも第１の細長い空間を画定する少なくとも第１の伝導性トレースと、可撓なキャリアの第２の側に配列された少なくとも第２の伝導性トレースであって、その部分間に少なくとも第２の細長い空間を画定する少なくとも第２の伝導性トレースとを含んでもよく、少なくとも第１の伝導性トレースは、少なくとも第２の伝導性トレースから少なくとも部分的にオフセットされ、それにより、第１の伝導性トレースの部分は、少なくとも第２の細長い空間の上にあり、第２の伝導性トレースの部分は、少なくとも第１の細長い空間の下にある。
本願明細書は、例えば、以下の項目も提供する。
（項目１）
睡眠時無呼吸処置デバイスであって、前記睡眠時無呼吸処置デバイスは、
対象の身体内に埋め込まれるように構成された可撓なキャリアと、
前記可撓なキャリア上に配置された少なくとも１つの電極であって、前記少なくとも１つの電極は、前記対象の舌下神経線維を変調するために、前記対象の舌下神経に近接するオトガイ舌筋組織上の場所のために構成されている、少なくとも１つの電極と、
前記可撓なキャリア上に配置された可撓なアンテナであって、前記可撓なアンテナは、前記対象の舌に近接する皮膚の真下の場所のためにサイズを合わせられ、前記可撓なアンテナは、前記可撓なアンテナによって受信される少なくとも一部のエネルギーが前記少なくとも１つの電極に伝送されることを可能にする態様で前記少なくとも１つの電極に電気的に接続され、前記可撓なアンテナは、
前記可撓なキャリアの第１の側に配列された少なくとも第１の伝導性トレースであって、前記少なくとも第１の伝導性トレースは、その部分間に少なくとも第１の細長い空間を画定している、少なくとも第１の伝導性トレースと、
前記可撓なキャリアの第２の側に配列された少なくとも第２の伝導性トレースであって、前記少なくとも第２の伝導性トレースは、その部分間に少なくとも第２の細長い空間を画定している、少なくとも第２の伝導性トレースと
を含む、可撓なアンテナと
を備え、前記少なくとも第１の伝導性トレースは、前記少なくとも第２の伝導性トレースから少なくとも部分的にオフセットされ、それにより、前記第１の伝導性トレースの部分は、前記少なくとも第２の細長い空間の上にあり、前記第２の伝導性トレースの部分は、前記少なくとも第１の細長い空間の下にある、睡眠時無呼吸処置デバイス。
（項目２）
前記アンテナおよびキャリアは、可撓なポリマーコーティング内に封入されている、項目１に記載の睡眠時無呼吸処置デバイス。
（項目３）
前記第１の伝導性トレースおよび前記第２の伝導性トレースはそれぞれ、コイルを含み、前記第１の細長い空間および前記第２の細長い空間は、前記第１の伝導性トレースおよび第２の伝導性トレースの前記コイルの巻線間の区域を含む、項目１に記載の睡眠時無呼吸処置デバイス。
（項目４）
前記第１の伝導性トレースおよび第２の伝導性トレースの前記コイルは、長方形巻線を含む、項目３に記載の睡眠時無呼吸処置デバイス。
（項目５）
前記第１の伝導性トレースおよび第２の伝導性トレースの前記コイルは、オーバル形状の巻線を含む、項目３に記載の睡眠時無呼吸処置デバイス。
（項目６）
前記第１の伝導性トレースおよび第２の伝導性トレースの前記コイルは、円形巻線を含む、項目３に記載の睡眠時無呼吸処置デバイス。
（項目７）
前記第１の伝導性トレースおよび前記第２の伝導性トレースは、前記可撓なキャリアを通って延在するトレースを介して、電気的に接続されている、項目１に記載の睡眠時無呼吸処置デバイス。
（項目８）
前記第１の伝導性トレースは、第１の巻線を含み、前記第１の巻線の少なくとも一部は、第１の電気トレースステップによって、相互に接続され、前記第２の伝導性トレースは、第２の巻線を含み、前記第２の巻線の少なくとも一部は、第２の電気トレースステップによって相互に接続され、前記第１の電気トレースステップのうちの１つまたは複数は、非ゼロ角度で前記第２の電気トレースステップのうちの１つまたは複数と交差する、項目１に記載の睡眠時無呼吸処置デバイス。
（項目９）
前記可撓なアンテナは、フェライトコアを含む、項目１に記載の睡眠時無呼吸処置デバイス。
（項目１０）
前記可撓なキャリアは、誘電体材料を含む、項目１に記載の睡眠時無呼吸処置デバイス。
（項目１１）
前記第１の伝導性トレースおよび前記第２の伝導性トレースはそれぞれ、コイルを含み、前記第１の伝導性トレースおよび第２の伝導性トレースの前記コイルは、約０．５ｍｍと３０ｍｍとの間の直径を有する、項目１に記載の睡眠時無呼吸処置デバイス。
（項目１２）
前記可撓なアンテナは、前記対象の身体内の組織の輪郭に適合するように構成されている、項目１に記載の睡眠時無呼吸処置デバイス。
（項目１３）
前記第１の伝導性トレースの実質的に全ては、前記少なくとも第２の細長い空間の上にあり、前記第２の伝導性トレースの実質的に全ては、前記少なくとも第１の細長い空間の下にある、項目１に記載の睡眠時無呼吸処置デバイス。
（項目１４）
前記可撓なアンテナはさらに、絶縁層によって前記第２の伝導性トレースから離間された少なくとも第３の伝導性トレースを含む、項目１に記載の睡眠時無呼吸処置デバイス。
（項目１５）
前記可撓なキャリア、前記少なくとも１つの電極、および前記可撓なアンテナの少なくとも一部は、パリレンの層およびシリコーンの層を含む封入構造で被覆されている、項目１に記載の睡眠時無呼吸処置デバイス。
（項目１６）
睡眠時無呼吸処置デバイスを備える頭痛管理デバイスであって、前記睡眠時無呼吸処置デバイスは、
可撓なキャリアであって、前記可撓なキャリアは、前記可撓なキャリアの第１の部分が対象の頭部の実質的に毛のない領域の下にある状態で、前記対象の身体内に埋め込まれるように構成されている、可撓なキャリアと、
前記可撓なキャリア上に配置された少なくとも１つの電極であって、前記少なくとも１つの電極は、前記対象の皮膚の下および前記頭部の実質的に毛のある領域の少なくとも後頭神経および三叉神経の近傍における前記可撓なキャリアの第２の部分上の場所のために構成され、前記対象の少なくとも１つの後頭神経および三叉神経を変調するように構成されている、少なくとも１つの電極と、
前記可撓なキャリア上に配置される可撓なアンテナであって、前記可撓なアンテナは、前記可撓なアンテナによって受信される少なくとも一部のエネルギーが前記少なくとも１つの電極に伝送されることを可能にする態様で、前記少なくとも１つの電極に電気的に接続され、前記可撓なアンテナは、
前記可撓なキャリアの第１の側に配列された少なくとも第１の伝導性トレースであって、前記少なくとも第１の伝導性トレースは、その部分間に少なくとも第１の細長い空間を画定している、少なくとも第１の伝導性トレースと、
前記可撓なキャリアの第２の側に配列された少なくとも第２の伝導性トレースであって、前記少なくとも第２の伝導性トレースは、その部分間に少なくとも第２の細長い空間を画定している、少なくとも第２の伝導性トレースと
を含む、可撓なアンテナと
を備え、前記少なくとも第１の伝導性トレースは、前記少なくとも第２の伝導性トレースから少なくとも部分的にオフセットされ、それにより、前記第１の伝導性トレースの部分は、前記少なくとも第２の細長い空間の上にあり、前記第２の伝導性トレースの部分は、前記少なくとも第１の細長い空間の下にある、頭痛管理デバイス。
（項目１７）
血圧に影響を及ぼすための高血圧処置デバイスであって、前記高血圧処置デバイスは、睡眠時無呼吸処置デバイスを備え、前記睡眠時無呼吸処置デバイスは、
腎神経、圧受容器、および舌咽神経のうちの少なくとも１つに近接して、対象の血管に埋め込むために構成されたインプラントであって、埋込型デバイスは、少なくとも１対の変調電極を含む、インプラントと、
前記インプラント上に配置された少なくとも１つの電極であって、前記少なくとも１つの電極は、前記対象の神経線維を変調するように構成されている、少なくとも１つの電極と、
前記インプラントと関連付けられた基材と、
前記基材上に配置された可撓なアンテナであって、前記可撓なアンテナは、前記可撓なアンテナによって受信される少なくとも一部のエネルギーが前記少なくとも１つの電極に伝送されることを可能にする態様で、前記少なくとも１つの電極に電気的に接続され、前記可撓なアンテナは、
前記基材の第１の側に配列された少なくとも第１の伝導性トレースであって、前記少なくとも第１の伝導性トレースは、その部分間に少なくとも第１の細長い空間を画定している、少なくとも第１の伝導性トレースと、
前記基材の第２の側に配列された少なくとも第２の伝導性トレースであって、前記少なくとも第２の伝導性トレースは、その部分間に少なくとも第２の細長い空間を画定している、少なくとも第２の伝導性トレースと
を含む、可撓なアンテナと
を備え、前記少なくとも第１の伝導性トレースは、前記少なくとも第２の伝導性トレースから少なくとも部分的にオフセットされ、それにより、前記第１の伝導性トレースの部分は、前記少なくとも第２の細長い空間の上にあり、前記第２の伝導性トレースの部分は、前記少なくとも第１の細長い空間の下にある、高血圧処置デバイス。
（項目１８）
医療デバイスであって、前記医療デバイスは、
対象の身体内に埋め込まれるように構成された可撓なキャリアと、
前記可撓なキャリア上に配置された少なくとも１つの電極であって、前記少なくとも１つの電極は、前記対象の神経線維を変調するように構成されている、少なくとも１つの電極と、
前記可撓なキャリア上に配置された可撓なアンテナであって、前記可撓なアンテナは、前記可撓なアンテナによって受信される少なくとも一部のエネルギーが前記少なくとも１つの電極に伝送されることを可能にする態様で、前記少なくとも１つの電極に電気的に接続され、前記可撓なアンテナは、
前記可撓なキャリアの第１の側に配列された少なくとも第１の伝導性トレースであって、前記少なくとも第１の伝導性トレースは、その部分間に少なくとも第１の細長い空間を画定している、少なくとも第１の伝導性トレースと、
前記可撓なキャリアの第２の側に配列された少なくとも第２の伝導性トレースであって、前記少なくとも第２の伝導性トレースは、その部分間に少なくとも第２の細長い空間を画定している、少なくとも第２の伝導性トレースと
を含む、可撓なアンテナと
を備え、前記少なくとも第１の伝導性トレースは、前記少なくとも第２の伝導性トレースから少なくとも部分的にオフセットされ、それにより、前記第１の伝導性トレースの部分は、前記少なくとも第２の細長い空間の上にあり、前記第２の伝導性トレースの部分は、前記少なくとも第１の細長い空間の下にある、医療デバイス。